(57)【要約】      （修正有）【課題】地震により間仕切り壁にかかる揺れの力を分散させ、間仕切り壁に亀裂が生じたり破損したりするのを避け、地震が収まった後は、いつでも元の場所に戻すことができるローラ式軽量間仕切り壁を提供する。【解決手段】底面に第１スライド溝１１が形成された天井ブラケット１０と、上面に前記第１スライド溝に対応するように第２スライド溝２１が形成された床ブラケット２０と、上面が前記天井ブラケット１０の前記第１スライド溝に挿入され、底面が前記床ブラケットの前記第２スライド溝に挿入されて、前記第１スライド溝と前記第２スライド溝との間に移動可能に設けられる間仕切り壁３０と、前記第２スライド溝内に転がり可能に設けられるとともに、前記間仕切り壁と前記第２スライド溝との間に介設され、互いに一定の距離を保つ複数のローラ部材４０と、を含むことを特徴とする、ローラ式軽量間仕切り壁。【選択図】図１
0003223435.tif 000002
【実用新案登録請求の範囲】
【請求項１】
底面に第１スライド溝が形成された天井ブラケットと、
上面に前記第１スライド溝に対応するように第２スライド溝が形成された床ブラケットと、
上面が前記天井ブラケットの前記第１スライド溝に挿入され、底面が前記床ブラケットの前記第２スライド溝に挿入されて、前記第１スライド溝と前記第２スライド溝との間に移動可能に設けられる間仕切り壁と、
前記第２スライド溝内に転がり可能に設けられるとともに、前記間仕切り壁と前記第２スライド溝との間に介設され、互いに一定の距離を保つ複数のローラ部材と、
を含むことを特徴とする、ローラ式軽量間仕切り壁。
【請求項２】
前記複数のローラ部材は、それぞれ２つの端面を有する中実の円柱体であることを特徴とする、請求項１に記載のローラ式軽量間仕切り壁。
【請求項３】
前記第１スライド溝が、第１上板及び前記第１上板の相対する２つの側辺から下向きに延びる２つの第１側板を備え、前記第２スライド溝が、第２上板及び前記第２上板の相対する２つの側辺から上向きに延びる２つの第２側板を備えることを特徴とする、請求項１または２に記載のローラ式軽量間仕切り壁。
【請求項４】
前記間仕切り壁が、
移動可能に前記第１スライド溝内に位置する上側固定ストリップと、
前記上側固定ストリップに対応し、移動可能に前記第２スライド溝内に位置する下側固定ストリップと、
前記上側固定ストリップと前記下側固定ストリップとの間に並べて架設される複数の立柱と、
前記複数の立柱に共通して相対する２つの側と、前記上側固定ストリップと、前記下側固定ストリップとにそれぞれ固定される２つの壁板と、をさらに含むことを特徴とする、請求項１〜３のいずれかに記載のローラ式軽量間仕切り壁。
【請求項５】
前記第１スライド溝の深さが、前記上側固定ストリップの深さより浅く、前記第２スライド溝の深さが、前記下側固定ストリップの深さより浅いことを特徴とする、請求項４に記載のローラ式軽量間仕切り壁。
【請求項６】
前記２つの壁板の上縁が、それぞれ前記上側固定ストリップの外側面に固接され、前記２つの壁板の下縁が、それぞれ前記下側固定ストリップの外側面に固接されることを特徴とする、請求項４又は５に記載のローラ式軽量間仕切り壁。
【考案の詳細な説明】
【技術分野】
【０００１】
本考案は、軽量間仕切り壁、特に、防震機能を有するローラ式軽量間仕切り壁に関するものである。
【背景技術】
【０００２】
従来、建設会社が家屋を建築するときは、家屋の間仕切りも同時に構築するが、家屋を購入した後に、購入者が、建設会社によって構築された間仕切りの配置に満足できず、元の間仕切りを解体して建築しなおすよう作業員に依頼することがよくある。しかし、間仕切りを構築しなおす施工は、元の間仕切りを解体し、さらにレンガやセメント等の建材で再度構築する必要があり、通常は時間とコストがかさむため、最適な施工方法ではない。このため、軽量間仕切り壁と呼ばれる間仕切り装置が販売されている。この装置の施工技術は、簡単なブラケット、壁板及びネジを使い、仕切りたい位置にその装置を固定するものであり、施工時間とコストを大幅に削減し、さらに、家屋の購入者が自分の好みに合わせて室内の間仕切りを配置しなおす際の負担を軽減することができる。
【０００３】
しかしながら、軽量間仕切り壁を構成する部品は、簡単なブラケット、壁板及びネジのみであるため、地震が発生すると、家屋の激しい揺れにより、軽量間仕切り壁に亀裂が生じたり破損したりすることもめずらしくない。このため、台湾実用新案公告Ｍ４３３４３０に記載されているような、スライドレール式の軽量間仕切り壁が提示されており、これは、底面に第１スライド溝が形成された天井ブラケットと、上面に第２スライド溝が形成された床ブラケットと、間仕切り壁を含み、そのうち、前記間仕切り壁の上面が、天井ブラケットの底面の第１スライド溝に対応して、その中にスライドするように設けられ、前記間仕切り壁の底面が、床ブラケットの上面の第２スライド溝に対応して、その中にスライドするように設けられることで、前記間仕切り壁が、天井ブラケットと床ブラケットにスライドするように設けられるため、地震で揺れが発生すると、前記間仕切り壁が天井ブラケットと床ブラケットとの間でスライドし、さらに、スライドすることによって、地震により間仕切り壁にかかる揺れの力を分散させるため、前記間仕切り壁に亀裂が生じたり破損したりしないよう保護することができる。
【０００４】
ただし、間仕切り壁は、それ自体に一定の重さがあり、さらに天井と床との間に介設されるため、地震の際にスライドすることで生じる摩擦力が大きく、地震に伴って移動する過程において、破損及び摩擦による騒音が避けられず、また、移動してしまうと、摩擦力が大きいために、間仕切り壁を元の位置に戻せなくなるという状況が起こりやすかった。
【０００５】
従って、従来技術のスライドレール式軽量間仕切り壁は、全体の構造に上記のような問題と欠点があることから、改良が必要であった。
【考案の概要】
【考案が解決しようとする課題】
【０００６】
本考案は、従来技術の欠点と不足点に鑑み、ローラ式軽量間仕切り壁を提供することを目的とし、前記ローラ式軽量間仕切り壁は、地震による揺れが発生した際、天井ブラケットと床ブラケットとの間で左右に移動することができ、さらに移動することによって、地震により間仕切り壁にかかる揺れの力を分散させ、間仕切り壁に亀裂が生じたり破損したりするのを避け、地震が収まった後は、いつでも元の場所に戻すことができる。
【課題を解決するための手段】
【０００７】
上記の目的を達成するため、本考案が講ずる技術的手段は、ローラ式軽量間仕切り壁であって、前記ローラ式軽量間仕切り壁は、底面に第１スライド溝が形成された天井ブラケットと、上面に前記第１スライド溝に対応するように第２スライド溝が形成された床ブラケットと、上面が前記天井ブラケットの前記第１スライド溝に挿入され、底面が前記床ブラケットの前記第２スライド溝に挿入されて、前記第１スライド溝と前記第２スライド溝との間に移動可能に設けられる間仕切り壁と、前記第２スライド溝内に転がり可能に設けられるとともに、前記間仕切り壁と前記第２スライド溝との間に介設され、互いに一定の距離を保つ複数のローラ部材と、を含む。
【０００８】
本考案の優れた点は、底面に第１スライド溝が形成された天井ブラケットと、上面に前記第１スライド溝に対応するように第２スライド溝が形成された床ブラケットと、上面が前記天井ブラケットの前記第１スライド溝に挿入され、底面が前記床ブラケットの前記第２スライド溝に挿入されて、前記第１スライド溝と前記第２スライド溝との間に移動可能に設けられる間仕切り壁により、地震の揺れが発生した際に、間仕切り壁が、天井ブラケットと床ブラケットとの間で揺れに応じて左右に移動することができ、さらに移動することによって、地震により間仕切り壁にかかる揺れの力を分散させることができ、間仕切り壁に亀裂が生じたり破損したりするのを避け、地震が収まった後は、いつでも元の場所に戻すことができる点にある。
【０００９】
さらに、前記ローラ式軽量間仕切り壁において、前記複数のローラ部材は、それぞれ２つの端面を有する中実の円柱体であることが好ましい。
【００１０】
さらに、前記ローラ式軽量間仕切り壁において、前記第１スライド溝が、第１上板及び前記第１上板の相対する２つの側辺から下向きに延びる２つの第１側板を備え、前記第２スライド溝が、第２上板及び前記第２上板の相対する２つの側辺から上向きに延びる２つの第２側板を備えることが好ましい。
【００１１】
さらに、前記ローラ式軽量間仕切り壁において、前記間仕切り壁が、移動可能に前記第１スライド溝内に位置する上側固定ストリップと、前記上側固定ストリップに対応し、移動可能に前記第２スライド溝内に位置する下側固定ストリップと、前記上側固定ストリップと前記下側固定ストリップとの間に並べて架設される複数の立柱と、前記複数の立柱に共通して相対する２つの側と、前記上側固定ストリップと、前記下側固定ストリップとにそれぞれ固定される２つの壁板と、をさらに含むことが好ましい。
【００１２】
さらに、前記ローラ式軽量間仕切り壁において、前記第１スライド溝の深さが、前記上側固定ストリップの深さより浅く、前記第２スライド溝の深さが、前記下側固定ストリップの深さより浅いことが好ましい。
【００１３】
さらに、前記ローラ式軽量間仕切り壁において、前記２つの壁板の上縁が、それぞれ前記上側固定ストリップの外側面に固接され、前記２つの壁板の下縁が、それぞれ前記下側固定ストリップの外側面に固接されることが好ましい。
【図面の簡単な説明】
【００１４】
【図１】本考案の外観斜視図である。
【図２】本考案の分解図である。
【図３】本考案の部分的な拡大図である。
【図４】本考案の平面視透視図である。
【図５】本考案の動作の模式図である。
【考案を実施するための形態】
【００１５】
以下、図及び本考案の好ましい実施形態と合わせて、本考案が所期の目的を達成するために講ずる技術的手段についてさらに説明する。
【００１６】
図１に示すように、本考案のローラ式軽量間仕切り壁は、天井ブラケット１０、床ブラケット２０、間仕切り壁３０及び複数のローラ部材４０を備える。
【００１７】
図１及び図２に示すように、前記天井ブラケット１０の底面に第１スライド溝１１が形成され、本実施形態においては、前記第１スライド溝１１が、第１上板１１１及び前記第１上板１１１の相対する２つの側辺から下向きに延びる２つの第１側板１１２を備える、即ち、前記第１スライド溝１１の断面が、逆Ｕ字に似た構造を呈している。
【００１８】
前記床ブラケット２０の上面には、前記第１スライド溝１１に対応するように第２スライド溝２１が形成され、本実施形態においては、前記第２スライド溝２１が、第２上板２１１及び前記第２上板２１１の相対する２つの側辺から上向きに延びる２つの第２側板２１２を備える、即ち、前記第２スライド溝２１の断面が、Ｕ字に似た構造を呈している。
【００１９】
前記間仕切り壁３０の上面が、前記天井ブラケット１０の第１スライド溝１１に挿入され、前記間仕切り壁３０の底面が、前記床ブラケット２０の第２スライド溝２１に挿入されて、前記第１スライド溝１１と第２スライド溝２１との間に、移動可能な前記間仕切り壁３０が設けられる。本実施形態においては、前記間仕切り壁３０は、上側固定ストリップ３１、下側固定ストリップ３２、複数の立柱３３及び２つの壁板３４を含み、前記上側固定ストリップ３１は、移動可能に前記第１スライド溝１１内に設けられ、前記第１スライド溝１１の深さは、前記上側固定ストリップ３１の深さより浅く、前記下側固定ストリップ３２は、前記上側固定ストリップ３１に対応して、移動可能に前記第２スライド溝２１内に設けられ、前記第２スライド溝２１の深さは、前記下側固定ストリップ３２の深さより浅く、前記複数の立柱３３は、前記上側固定ストリップ３１と下側固定ストリップ３２との間に等間隔に並べて架設されるとともに、前記上側固定ストリップ３１と前記下側固定ストリップ３２に垂直であり、前記２つの壁板３４は、前記複数の立柱３３に共通して相対する２つの側と、前記上側固定ストリップ３１と、前記下側固定ストリップ３２とにそれぞれ固定され、本実施形態においては、前記２つの壁板３４の上縁が、それぞれ前記上側固定ストリップ３１の外側面に固接され、前記２つの壁板３４の下縁が、それぞれ前記下側固定ストリップ３２の外側面に固接されるとともに、図３に示すように、前記２つの壁板３４の外面が、それぞれ前記２つの第２側板２１２の外面と面一である。
【００２０】
前記複数のローラ部材４０が、前記第２スライド溝２１内に転がり可能に設けられるとともに、前記間仕切り壁３０と前記第２スライド溝２１との間に介設され、互いに一定の距離を保っている。本実施形態において、前記複数のローラ部材４０は、それぞれ２つの端面を有する中実の円柱体であるが、これに限定されるものではなく、他の、ローラ機能を有するものであってもよい。図４に示すように、前記複数のローラ部材４０は、前記第２スライド溝２１内に置かれ、２つの端面がそれぞれ前記第２スライド溝２１の第２側板２１２に平行であるか、又は、前記複数のローラ部材４０の回転中心がそれぞれ前記床ブラケット２０の第２側板２１２に垂直であり、さらに、前記複数のローラ部材４０が互いに一定の距離を保っているため、前記間仕切り壁３０は、前記第２スライド溝２１の両端の伸延方向に沿って、前記第２スライド溝２１内をスムーズにスライドすることができる。
【００２１】
図５に示すように、移動可能な前記間仕切り壁３０の上面と底面が、前記天井ブラケット１０の第１スライド溝１１と、前記床ブラケット２０の第２スライド溝２１との間に設けられているため、地震の揺れが発生すると、前記第２スライド溝２１内のローラ部材４０によって、前記間仕切り壁３０を、前記天井ブラケット１０と床ブラケット２０との間において移動させることができ、さらに、移動することによって、地震により前記間仕切り壁３０にかかる圧力を分散させるため、前記間仕切り壁３０を破損から守ることができる。
【００２２】
上記の過程において、前記ローラ部材４０が、前記間仕切り壁３０の移動を媒介しているため、転がりによって摩擦抵抗を低減するだけでなく、移動中に生じる騒音も減少させることができる。
【００２３】
以上の説明は、本考案の好ましい実施形態に過ぎず、本考案に対して何ら形式上の限定を行うものではない。本考案は好ましい実施形態によって上記のように開示されているが、それは本考案を限定するためのものではなく、すべての当業者が、本考案の技術構想を逸脱しない範囲において、上記に開示する技術内容を用いて変更及び修飾を行った等価の実施形態で、且つ本考案の技術構想の内容を逸脱しないものは、本考案の技術的本質に基づいて上記の実施形態に対して行われたいかなる簡単な修正、等価の変更及び修飾も、依然としてすべて本考案の技術構想の範囲内にある。
【符号の説明】
【００２４】
１０        天井ブラケット
１１        第１スライド溝
１１１      第１上板
１１２      第１側板
２０        床ブラケット
２１        第２スライド溝
２１１      第２上板
２１２      第２側板
３０        間仕切り壁
３１        上側固定ストリップ
３２        下側固定ストリップ
３３        立柱
３４        壁板
４０        ローラ部材
【図１】
0003223435.tif 000003
【図２】
0003223435.tif 000004
【図３】
0003223435.tif 000005
【図４】
0003223435.tif 000006
【図５】
0003223435.tif 000007